(57)【要約】【課題】建物内の美観を損なうことなく、蓄熱用のチャンバを好適に設置することが可能な建物の太陽熱集熱装置を提供する。【解決手段】建物１０には、太陽光を受けることでその熱を集める集熱パネル４１と、集熱パネル４１で集められた太陽光の熱を蓄えるための蓄熱材４２と、集熱パネル４１の熱を熱媒体を介して蓄熱材４２へと輸送する熱輸送手段と、蓄熱材４２を内部に収容する蓄熱用のチャンバ４３と、蓄熱材４２に蓄えられた熱をチャンバ４３内から吹出口５９より部屋３３に吹き出させるファン装置５４とが設けられている。チャンバ４３は、横並びで隣り合う上階ユニット２０Ｂにおいて互いに対向する床大梁同士の間の梁間スペースに配設されている。【選択図】      図３
2014141790.tif 000002
【特許請求の範囲】
【請求項１】
複数の柱とそれら柱に連結された天井及び床の各大梁とを有してなる複数の建物ユニットが互いに連結されることにより構成されるユニット式の建物に適用され、
前記建物の屋外側に設けられ、太陽光を受けることでその熱を集める集熱部と、
前記集熱部で集められた太陽光の熱を蓄えるための蓄熱材と、
前記集熱部の熱を熱媒体を介して前記蓄熱材へと輸送する熱輸送手段と、
前記蓄熱材を内部に収容する蓄熱用のチャンバと、
前記蓄熱材に蓄えられた熱を前記チャンバ内から前記建物内の部屋に放出させる放熱手段と、を備え、
前記チャンバは、横並びで隣り合う建物ユニットにおいて互いに対向する大梁同士の間の梁間スペースに配設されていることを特徴とする建物の太陽熱集熱装置。
【請求項２】
前記チャンバ内の空気を前記部屋へ吹き出すための吹出口を備え、
前記放熱手段は、前記チャンバ内から前記吹出口へ向けた空気の流れを生じさせることで、前記蓄熱材に蓄えられた熱を当該蓄熱材から放出させ、その放出させた熱を前記吹出口より暖気として前記部屋に吹き出させる暖気供給手段であることを特徴とする請求項１に記載の建物の太陽熱集熱装置。
【請求項３】
前記吹出口は、前記チャンバに形成されており、そのチャンバの真上又は真下に位置する前記部屋に向けて該チャンバ内の空気を吹き出すものであることを特徴とする請求項２に記載の建物の太陽熱集熱装置。
【請求項４】
前記チャンバは、その内部空間として、前記蓄熱材が設けられた蓄熱空間部と、前記吹出口に通じる吹出空間部とを備え、
前記チャンバ内においてそれら両空間部を連通する連通部には、前記両空間部の間での空気の流通を遮断する閉状態と、前記空気の流通を許可する開状態とに開閉動作可能とされた開閉部材が設けられていることを特徴とする請求項３に記載の建物の太陽熱集熱装置。
【請求項５】
前記暖気供給手段は、前記チャンバ内において前記連通部に設けられ、当該連通部を通じた前記蓄熱空間部から前記吹出空間部への空気の流れを生じさせるファン装置を備えることを特徴とする請求項４に記載の建物の太陽熱集熱装置。
【請求項６】
前記チャンバは、隣り合う建物ユニットにおいて互いに対向する前記各大梁に支持部材を介して支持されていることを特徴とする請求項１乃至５のいずれか一項に記載の建物の太陽熱集熱装置。
【請求項７】
前記建物ユニットとして上下に隣接する下階ユニット及び上階ユニットを備え、前記下階ユニットの天井大梁と前記上階ユニットの床大梁とが隙間を隔てて上下に対向配置されている建物に適用され、
前記チャンバは、前記建物の階間部分において、隣り合う上階ユニットにおける対向する床大梁間、及び隣り合う下階ユニットにおける対向する天井大梁間のうち少なくともいずれかの梁間スペースに配設されており、
前記チャンバは、前記対向する各天井大梁にそれぞれ前記支持部材を介して支持されており、
前記支持部材は、前記対向する各天井大梁上にそれぞれ前記隙間に差し入れられた状態で載置される載置部を有していることを特徴とする請求項６に記載の建物の太陽熱集熱装置。
【請求項８】
前記建物ユニットとして上下に隣接する下階ユニット及び上階ユニットを備える建物に適用され、
前記チャンバは、前記建物の階間部分において、隣り合う下階ユニットにおける対向する天井大梁間の梁間スペースではなく、隣り合う上階ユニットにおける対向する床大梁間の梁間スペースに配設されていることを特徴とする請求項１乃至７のいずれか一項に記載の建物の太陽熱集熱装置。
【請求項９】
前記放熱手段により熱が放出される前記部屋は、トイレ、脱衣室又は浴室であることを特徴とする請求項１乃至８のいずれか一項に記載の建物の太陽熱集熱装置。
【請求項１０】
前記チャンバ内の空気を前記部屋へ吹き出すための吹出口を備え、
前記放熱手段は、前記チャンバ内から前記吹出口へ向けた空気の流れを生じさせることで、前記蓄熱材に蓄えられた熱を当該蓄熱材から放出させ、その放出させた熱を前記吹出口より暖気として前記部屋に吹き出させる暖気供給手段であり、
前記部屋の温度を検知する部屋温検知手段と、
前記部屋温検知手段により検知された前記部屋の温度が所定温度以下である場合に、前記部屋への暖気の吹き出しを実施するよう前記暖気供給手段を制御する制御手段と、
を備えることを特徴とする請求項１乃至９のいずれか一項に記載の建物の太陽熱集熱装置。
【発明の詳細な説明】
【技術分野】
【０００１】
本発明は、建物の太陽熱集熱装置に関する。
【背景技術】
【０００２】
従来より、建物の一種として、ユニット式建物が知られている。ユニット式建物は、複数の建物ユニットが互いに連結されることにより構築される建物である。建物ユニットは、複数の柱とそれら柱に連結された天井及び床の各大梁とを有してなる直方体状の枠体を有しており、その枠体に壁材や床材、天井材等の各種部材が取り付けられることにより構築されている。
【０００３】
ところで近年、太陽光の熱を利用して建物内の暖房を行う技術が各種提案されている。例えば特許文献１には、ユニット式建物において、その屋根部に太陽光が照射されることによりその熱を集める集熱パネルを設置するとともに、建物内には集熱パネルで集めた熱を蓄えるための蓄熱材を設け、その蓄熱材に蓄えた熱を用いて建物内の暖房を行う技術が開示されている。この技術では、集熱パネルと蓄熱材との間で熱媒体を循環させる循環経路を設け、その循環経路で熱媒体を循環させることで、集熱パネルの熱を熱媒体を介して蓄熱材へ輸送し同蓄熱材に蓄えるようにしている。これによれば、夜間においても太陽光の熱を利用した部屋の暖房を行うことができる。
【０００４】
特許文献１の技術について具体的には、同文献１では、蓄熱材を内部に収容する蓄熱用のチャンバが建物ユニットの床下空間、より詳しくは建物ユニットの各床大梁（階間部分の床下空間においては場合によって各天井大梁）に囲まれた内側空間に設けられている。この場合、蓄熱材に蓄えられた熱が放出されることによりチャンバ内の空気が暖められ、その暖められた空気（の熱）を用いて建物内の暖房が行われるものとなっている。例えば、チャンバ内の熱をチャンバ表面から部屋に放出（熱放射）させたり、チャンバ内の暖気を吹出口より部屋に吹き出したりすることで部屋の暖房が行われる。
【先行技術文献】
【特許文献】
【０００５】
【特許文献１】特開２００３−１２０９４９号公報
【発明の概要】
【発明が解決しようとする課題】
【０００６】
ところで、ユニット式建物では、建物ユニットの床下空間が配管や配線の配設スペースとして利用されることが多い。また、建物ユニットの床下空間が物品の収納空間として利用される場合もある。そのため、チャンバが建物ユニットの床下空間に設置されると、同空間における配管や配線の取り回しに制約が生じたり、同空間を収納空間として利用できなくなったりする等の不都合が生じるおそれがある。
【０００７】
また、ユニット式建物では、建物ユニットの床下空間だけでなく、建物ユニットの天井裏空間すなわち建物ユニットの各天井大梁に囲まれた内側空間も、配管・配線の配設スペース等に利用される場合がある。したがって、かかる問題は、チャンバを建物ユニットの天井裏空間に設置する際にも同様に生じうる。
【０００８】
これに対して、チャンバを建物ユニットの床上に設置すると、建物内の美観が損なわれるおそれがある。
【０００９】
本発明は、上記事情に鑑みてなされたものであり、建物内の美観を損なうことなく、蓄熱用のチャンバを好適に設置することが可能な建物の太陽熱集熱装置を提供することを主たる目的とするものである。
【課題を解決するための手段】
【００１０】
上記課題を解決すべく、第１の発明の建物の太陽熱集熱装置は、複数の柱とそれら柱に連結された天井及び床の各大梁とを有してなる複数の建物ユニットが互いに連結されることにより構成されるユニット式の建物に適用され、前記建物の屋外側に設けられ、太陽光を受けることでその熱を集める集熱部と、前記集熱部で集められた太陽光の熱を蓄えるための蓄熱材と、前記集熱部の熱を熱媒体を介して前記蓄熱材へと輸送する熱輸送手段と、前記蓄熱材を内部に収容する蓄熱用のチャンバと、前記蓄熱材に蓄えられた熱を前記チャンバ内から前記建物内の部屋に放出させる放熱手段と、を備え、前記チャンバは、横並びで隣り合う建物ユニットにおいて互いに対向する大梁同士の間の梁間スペースに配設されていることを特徴とする。
【００１１】
本発明における太陽熱集熱装置では、集熱部で集められた太陽光の熱が熱輸送手段により熱媒体を介して蓄熱材に輸送され、同蓄熱材に蓄えられる。蓄熱材に蓄えられた熱は放熱手段によりチャンバ内から建物内の部屋に放出され、その放出された熱によって部屋が暖められる。これにより、太陽光が照射されない夜間等の時間帯でも、太陽熱を用いた部屋の暖房を行うことができる。
【００１２】
また、本発明によれば、チャンバが横並びで隣り合う建物ユニットにおいて互いに対向する大梁同士の間の梁間スペースに配設されているため、建物内の美観を損なうことなくチャンバを設置することができる。また、この場合、チャンバが、建物ユニットの床下空間（詳しくは建物ユニットの床大梁に囲まれた内側空間）や天井裏空間（詳しくは建物ユニットの天井大梁に囲まれた内側空間）とは異なる場所に設置されているため、チャンバの設置によって、建物ユニットの床下空間や天井裏空間における他の用途での利用（例えば配管や配線の配設スペースとしての利用）が妨げられることがない。よって、この場合、建物内の美観を損なうことなく、チャンバを好適に設置することが可能となる。
【００１３】
第２の発明の建物の太陽熱集熱装置は、第１の発明において、前記チャンバ内の空気を前記部屋へ吹き出すための吹出口を備え、前記放熱手段は、前記チャンバ内から前記吹出口へ向けた空気の流れを生じさせることで、前記蓄熱材に蓄えられた熱を当該蓄熱材から放出させ、その放出させた熱を前記吹出口より暖気として前記部屋に吹き出させる暖気供給手段であることを特徴とする。
【００１４】
本発明によれば、暖気供給手段によりチャンバ内から吹出口へと向けた空気の流れを生じさせることで、蓄熱材に蓄えられた熱が同蓄熱材から放出されその放出された熱が吹出口より暖気として部屋に吹き出される。この場合、蓄熱材からの放熱を促進させることができるとともに、その放出された熱を暖気として部屋に供給することができる。そのため、例えば蓄熱材に蓄えられた熱をチャンバの表面から放出（放射）させて部屋の暖房を行う構成と比べ、部屋の暖房効果を高めることができる。
【００１５】
第３の発明の建物の太陽熱集熱装置は、第２の発明において、前記吹出口は、前記チャンバに形成されており、そのチャンバの真上又は真下に位置する前記部屋に向けて該チャンバ内の空気を吹き出すものであることを特徴とする。
【００１６】
本発明によれば、吹出口がチャンバ自体に形成されており、その吹出口よりチャンバ内の暖気がチャンバの真上又は真下の部屋に直接吹き出される。この場合、チャンバ内の暖気を通気ダクト等の通気部材を介して吹出口へ搬送する構成と比べ、通気部材が不要となる分構成の簡素化を図ることができる。また、狭小空間である梁間スペースに通気ダクトを取り回すことは実際上困難であると考えられるため、かかる構成は第２の発明を実現する上で実用上好ましい構成といえる。
【００１７】
第４の発明の建物の太陽熱集熱装置は、第３の発明において、前記チャンバは、その内部空間として、前記蓄熱材が設けられた蓄熱空間部と、前記吹出口に通じる吹出空間部とを備え、前記チャンバ内においてそれら両空間部を連通する連通部には、前記両空間部の間での空気の流通を遮断する閉状態と、前記空気の流通を許可する開状態とに開閉動作可能とされた開閉部材が設けられていることを特徴とする。
【００１８】
本発明によれば、チャンバ内において蓄熱空間部と吹出空間部とを連通する連通部に開閉部材が設けられており、その開閉部材が閉状態とされると、それら両空間部の間での空気の流通が遮断される。この場合、蓄熱材から自然放熱される熱が蓄熱空間部から吹出空間部へと流出するのを防止でき、ひいては吹出口から部屋へと流出するのを防止できる。したがって、蓄熱材への蓄熱時には開閉部材を閉状態としておくことで、蓄熱材に蓄えられた熱が無駄に消費されてしまうのを抑制することができ、太陽熱の有効利用を図ることができる。
【００１９】
ところで、吹出口に当該吹出口を開閉する開閉部材を設け、その開閉部材により吹出口を閉鎖するようにしても、蓄熱材から自然放熱される熱が吹出口から部屋へと放出されてしまうのを防止することはできる。ここで、チャンバ内において蓄熱材が設置される箇所は、蓄熱材に熱媒体を供給する熱媒配管の位置等によって定まるのに対し、チャンバにおいて吹出口が形成される箇所は、当該吹出口より暖気が吹き出される部屋の間取り等によって定まる。そのため、チャンバにおいて蓄熱材の設置箇所と吹出口の形成箇所とは互いに離れた位置関係となることがあり、その場合それに応じてチャンバの長さを長くする必要がある。しかしながら、チャンバの長さを長くすると、それに伴いチャンバの表面積が大きくなるため、蓄熱材から自然放熱された熱がチャンバ表面から放散し易くなってしまう。この点本発明によれば、開閉部材を閉状態としておくことで、蓄熱材から自然放熱された熱をチャンバ内の一部領域（つまり蓄熱空間部）に閉じ込めてことができるため、チャンバの長さが長い場合であっても、チャンバ表面から熱が無駄に放散されてしまうのを抑制することができる。そのため、効率のよい蓄熱が可能となる。
【００２０】
第５の発明の建物の太陽熱集熱装置は、第４の発明において、前記暖気供給手段は、前記チャンバ内において前記連通部に設けられ、当該連通部を通じた前記蓄熱空間部から前記吹出空間部への空気の流れを生じさせるファン装置を備えることを特徴とする。
【００２１】
本発明によれば、チャンバ内において蓄熱空間部と吹出空間部との連通部にファン装置が設けられており、そのファン装置により蓄熱空間部から吹出空間部への空気の流れ、ひいては吹出口へ向けた空気の流れを生じさせるようにしている。この場合、例えば吹出口にファン装置を設ける場合と比べ、蓄熱材からの放熱を促進させることができ、部屋の暖房効果を高めることができる。
【００２２】
第６の発明の建物の太陽熱集熱装置は、第１乃至第５のいずれかの発明において、前記チャンバは、隣り合う建物ユニットにおいて互いに対向する前記各大梁に支持部材を介して支持されていることを特徴とする。
【００２３】
本発明によれば、チャンバの荷重を隣り合う建物ユニットにおける対向する各大梁でそれぞれ支えることができるため、重量物となることが想定されるチャンバを安定した状態で設置することができる。
【００２４】
第７の発明の建物の太陽熱集熱装置は、第６の発明において、前記建物ユニットとして上下に隣接する下階ユニット及び上階ユニットを備え、前記下階ユニットの天井大梁と前記上階ユニットの床大梁とが隙間を隔てて上下に対向配置されている建物に適用され、前記チャンバは、前記建物の階間部分において、隣り合う上階ユニットにおける対向する床大梁間、及び隣り合う下階ユニットにおける対向する天井大梁間のうち少なくともいずれかの梁間スペースに配設されており、前記チャンバは、前記対向する各天井大梁にそれぞれ前記支持部材を介して支持されており、前記支持部材は、前記対向する各天井大梁上にそれぞれ前記隙間に差し入れられた状態で載置される載置部を有していることを特徴とする。
【００２５】
隣り合う上階ユニットにおける対向する天井大梁間や、隣り合う下階ユニット（一階ユニット）における対向する床大梁間の梁間スペースはそれぞれ建物の屋根部分、床下部分に位置していることから、断熱性能を確保すべく断熱材が配設されることが多い。これに対して、建物の階間部分では、それ程断熱性能が要求されないため、隣り合う上階ユニットにおける対向する床大梁間、隣り合う下階ユニットにおける対向する天井大梁間の梁間スペースには断熱材が配設されることが少ない。そこで本発明では、この点に着目し、チャンバを、建物の階間部分における梁間スペースに配設している。この場合、チャンバを梁間スペースに設置するに際し、チャンバの設置スペースを確保し易くチャンバのより一層好適な設置が可能となる。
【００２６】
また、上下に隣接する下階ユニット及び上階ユニットの境界部では、下階ユニットの天井大梁と上階ユニットの床大梁とが所定の隙間を隔てて上下に対向配置されている場合がある。そこで本発明では、この隙間に着目し、支持部材を当該隙間に差し入れた状態で隣り合う下階ユニットにおける対向する天井大梁上に載置させ、そしてその支持部材を介してチャンバをそれら各天井大梁に支持させるようにしている。これにより、階間部分の梁間スペースにおいてチャンバを好適に支持させることが可能となる。
【００２７】
第８の発明の建物の太陽熱集熱装置は、第１乃至第７のいずれかの発明において、前記建物ユニットとして上下に隣接する下階ユニット及び上階ユニットを備える建物に適用され、前記チャンバは、前記建物の階間部分において、隣り合う下階ユニットにおける対向する天井大梁間の梁間スペースではなく、隣り合う上階ユニットにおける対向する床大梁間の梁間スペースに配設されていることを特徴とする。
【００２８】
ところでユニット式建物の階間部分では、下階ユニットと上階ユニットとの間の階間空間（詳しくは下階ユニットの各天井大梁及び上階ユニットの各床大梁により囲まれた内側空間）だけでなく、隣り合う上階ユニットにおける対向する床大梁間や隣り合う下階ユニットにおける対向する天井大梁間の梁間スペースにも配線や配管が配設される場合があると考えられる。この場合、配線・配管が、かかる梁間スペースにおいて同スペースの下方に設けられる下階部分の天井面材（例えば隣り合う下階ユニットの天井面材間を繋ぐ天井繋ぎ材）上に載置された状態で配設されることが考えられる。そこで本発明では、この点に鑑みて、階間部分の梁間スペースにチャンバを設置するにあたり、配線・配管が配設されることが比較的少ない上階ユニットの床大梁間の梁間スペースにチャンバを配設するようにしている。この場合、チャンバを階間部分の梁間スペースにて好適に設置することが可能となる。
【００２９】
第９の発明の建物の太陽熱集熱装置は、第１乃至第８のいずれかの発明において、前記放熱手段により熱が放出される前記部屋は、トイレ、脱衣室又は浴室であることを特徴とする。
【００３０】
一般に、トイレや脱衣室、浴室等の非居室空間はリビング等の居室空間と比べて狭く、その気積（室内容積）が小さい。そこで本発明では、この点に鑑みて、蓄熱材に蓄えられた熱をトイレ、脱衣室又は浴室に放出し暖房を行うようにしている。この場合、蓄熱材に蓄えられた熱を用いて部屋の暖房を行う上述の構成にあって、十分な暖房効果を得ることが可能となる。
【００３１】
第１０の発明の建物の太陽熱集熱装置は、第１乃至第９のいずれかの発明において、前記チャンバ内の空気を前記部屋へ吹き出すための吹出口を備え、前記放熱手段は、前記チャンバ内から前記吹出口へ向けた空気の流れを生じさせることで、前記蓄熱材に蓄えられた熱を当該蓄熱材から放出させ、その放出させた熱を前記吹出口より暖気として前記部屋に吹き出させる暖気供給手段であり、前記部屋の温度を検知する部屋温検知手段と、前記部屋温検知手段により検知された前記部屋の温度が所定温度以下である場合に、前記部屋への暖気の吹き出しを実施するよう前記暖気供給手段を制御する制御手段と、を備えることを特徴とする。
【００３２】
本発明によれば、暖房対象である部屋の温度が所定温度以下となると、暖気供給手段による部屋への暖気の吹き出しが実施される。これにより、部屋の温度が低下した場合には自動的に部屋の暖房が開始されるため、利便性の向上を図ることができる。
【図面の簡単な説明】
【００３３】
【図１】ユニット式建物の概要を示す斜視図。
【図２】建物ユニットの斜視図。
【図３】太陽熱集熱装置の概要を示す概要図。
【図４】蓄熱材が収容されたチャンバの構成を示す断面図。
【図５】二階部分の床部を示す平面図。
【図６】チャンバの設置構成を示す断面図。
【図７】太陽熱集熱装置の電気的構成を示すブロック図。
【図８】暖房制御処理を示すフローチャート。
【図９】建物の二階部分の間取りを示す間取り図。
【発明を実施するための形態】
【００３４】
以下に、本発明を具体化した一実施の形態について図面を参照しつつ説明する。なお、図１は、ユニット式建物の概要を示す斜視図である。
【００３５】
図１に示すように、建物１０は、基礎１１上に設けられた建物本体１２と、その上方に設けられた屋根１３とを備える。建物本体１２は、下階部としての一階部分１４と、上階部としての二階部分１５とを有する二階建ての建物であり、複数の建物ユニット２０が互いに連結されることにより構成されている。建物ユニット２０は製造工場においてあらかじめ製造され、その後施工現場にトラック等により運搬されるものとなっている。なお、以下においては便宜上、場合によって一階部分１４の建物ユニット２０を下階ユニット２０Ａ、二階部分１５の建物ユニット２０を上階ユニット２０Ｂという。
【００３６】
図２には、建物ユニット２０の斜視図を示す。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３７】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３８】
ところで、本実施形態の建物１０には、太陽光の熱を集熱部により集めるとともにその集めた熱を蓄熱材に蓄え、その蓄えた熱を利用して建物１０内の暖房を行う太陽熱集熱装置４０が設けられている。以下、この太陽熱集熱装置４０について図３及び図４に基づいて説明する。図３は太陽熱集熱装置４０の概要を示す概要図であり、図４は蓄熱材が収容されたチャンバの構成を示す断面図である。
【００３９】
図３に示すように、建物１０には、一階部分１４に部屋３１，３２が設けられ、二階部分１５に部屋３３，３４が設けられている。これら各部屋３１〜３４は建物ユニット２０ごとに設けられ、一階部分１４の部屋３１，３２と二階部分１５の部屋３３，３４とは階間部分１６によって上下に仕切られている。本実施形態では、これら各部屋３１〜３４のうち二階部分１５の部屋３３を対象に太陽熱集熱装置４０による暖房を行うものとなっている。また、部屋３３には、当該部屋３３の温度を検知する部屋温検知センサ３６が設けられている。この部屋温検知センサ３６が部屋温検知手段に相当する。
【００４０】
太陽熱集熱装置４０は、太陽光が照射されることでその熱（太陽熱）を集める集熱パネル４１と、その集熱パネル４１で集められた熱を蓄えるための蓄熱材４２とを備える。集熱パネル４１は、日当たりのよい屋根１３上に設けられ、アルミニウム等の熱伝導性の高い材料からなる集熱板を有して形成されている。なお、集熱パネル４１は、必ずしも屋根１３上に設けられる必要はなく、外壁等、日当たりのよい他の場所に設けられてもよい。また、この場合集熱パネル４１が集熱部に相当する。
【００４１】
蓄熱材４２は、例えば潜熱蓄熱材よりなる。蓄熱材４２は、建物１０の階間部分１６に設けられたチャンバ４３内に収容されている。蓄熱材４２には、当該蓄熱材４２に蓄えられた熱量を検知する蓄熱量検知センサ３７（図４参照）が設けられている。この蓄熱量検知センサ３７が蓄熱量検知手段に相当する。なお、蓄熱材４２として、潜熱蓄熱材に代えて、コンクリート等熱容量の大きい材料からなる顕熱蓄熱材を用いてもよい。
【００４２】
蓄熱材４２は、集熱パネル４１と媒体経路を介して接続されている。媒体経路は、集熱パネル４１と蓄熱材４２との間で水等の熱媒体を循環させるための循環経路（循環配管）であり、熱媒配管４４により構成されている。熱媒配管４４の途中には電動式の循環ポンプ４５が設けられている。この循環ポンプ４５によって熱媒体が熱媒配管４４を通じて集熱パネル４１と蓄熱材４２との間で循環するようになっている。なお、熱媒配管４４と循環ポンプ４５とにより熱輸送手段が構成されている。
【００４３】
熱媒配管４４を循環する熱媒体は、集熱パネル４１において同パネル４１に集熱された熱を受け取り、その後その受け取った熱を蓄熱材４２へと受け渡す。これにより、集熱パネル４１で集熱された熱が熱媒体を介して蓄熱材４２へと供給（輸送）され同蓄熱材４２に蓄えられる。
【００４４】
なお、図示は省略するが、集熱パネル４１及び蓄熱材４２にはそれぞれ、熱媒配管４４を流れる熱媒体との間で熱交換を行う熱交換部が設けられている。熱媒体は、集熱パネル４１の熱交換部を介して同パネル４１との間で熱交換を行うことで、同パネル４１から熱を受け取る。また、熱媒体は、蓄熱材４２の熱交換部を介して同蓄熱材４２との間で熱交換を行うことで、集熱パネル４１より受け取った熱を蓄熱材４２へ受け渡す。
【００４５】
図４に示すように、蓄熱材４２を内部に収容するチャンバ４３は、断熱性能に優れた樹脂材料により直方体形状（箱状）に形成されている。チャンバ４３には、その内部空間（以下、チャンバ内空間４７という）を複数の空間に仕切る仕切材４９が設けられている。仕切材４９は、断熱性能に優れた樹脂材料により形成されている。この仕切材４９によってチャンバ内空間４７は、蓄熱材４２が設けられた蓄熱空間部５１と、後述する吹出口５９に通じる吹出空間部５２とに仕切られている。
【００４６】
仕切材４９には、蓄熱空間部５１と吹出空間部５２とを連通する開口部５３が形成されている。この開口部５３を通じて蓄熱空間部５１と吹出空間部５２との間で空気の流通が可能となっている。開口部５３にはファン装置５４が設けられている。ファン装置５４は、開口部５３を通じて蓄熱空間部５１から吹出空間部５２へ向かう空気の流れを生じさせるものである。なお、開口部５３が連通部に相当し、ファン装置５４が暖気供給手段に相当する。
【００４７】
ファン装置５４には、開口部５３を開閉する開閉部材としてシャッタ５６が設けられている。シャッタ５６は、上下に並べられた複数の可動スラット５７を有している。これらのスラット５７は回動可能に設けられ、回動することにより開口部５３を開閉するものとなっている。各スラット５７（換言するとシャッタ５６）が開状態とされて開口部５３が開放されると、開口部５３を通じて蓄熱空間部５１と吹出空間部５２との間で空気の流通が可能となり、各スラット５７が閉状態とされて開口部５３が閉鎖されると、かかる空気の流通が遮断される。また、各スラット５７は、電動モータ等からなるスラット駆動部５８により開閉駆動される。スラット駆動部５８は、例えばファン装置５４に内蔵されている。
【００４８】
チャンバ４３においてチャンバ内空間４７の上側に設けられた上板部４３ａには、吹出口５９が形成されている。吹出口５９は、吹出空間部５２を、その上方（真上）にある部屋３３に向けて開放するように形成されている。この吹出口５９を通じてチャンバ内空間４７の暖気が部屋３３へと吹き出すようになっている。
【００４９】
ここで上記の構成において、シャッタ５６（各可動スラット５７）を開状態としてファン装置５４を作動させると、チャンバ内空間４７には蓄熱空間部５１から吹出空間部５２を経由して吹出口５９へ向かう空気の流れが発生する。この場合、かかる空気の流れによって蓄熱材４２に蓄えられた熱が当該蓄熱材４２から放出されるとともに、その放出された熱が開口部５３を通じて吹出空間部５２へ流れ込み、その後吹出口５９から暖気として部屋３３に吹き出される。これにより、その吹き出された暖気によって部屋３３が暖められる（暖房される）。
【００５０】
一方、ファン装置５４の作動を停止させてシャッタ５６を閉状態とすると、蓄熱空間部５１と吹出空間部５２との間の空気の流通が遮断される。これにより、吹出口５９からの暖気の吹き出しが停止され、部屋３３の暖房が停止される。
【００５１】
続いて、チャンバ４３の設置構成について図５及び図６に基づいて詳しく説明する。図５は二階部分１５の床部を示す平面図である。同図５では便宜上、床小梁２６の図示を省略している。また、図６はチャンバ４３の設置構成を示す断面図であり、図５のＡ−Ａ線断面図に相当する。
【００５２】
図５に示すように、建物１０の階間部分１６において、隣り合う上階ユニット２０Ｂにおける互いに対向する各床大梁２３の間には梁間スペース６１が形成されている。上階ユニット２０Ｂ（ひいては建物ユニット２０）では、各床大梁２３（及び各天井大梁２２）がそれぞれ柱２１の側面部に連結されており、それら各床大梁２３がそれぞれ当該床大梁２３と直交する方向（以下、大梁直交方向という）において柱２１のユニット外側面よりもユニット内寄りに配置されている。したがって、隣り合う上階ユニット２０Ｂにおいて互いに対向する柱２１同士の間隔と、互いに対向する床大梁２３同士の間隔とを比較した場合、前者の間隔よりも後者の間隔の方が大きくなっている。したがって、隣り合う上階ユニット２０Ｂ間において梁間スペース６１は比較的幅広のスペースとなっている。
【００５３】
梁間スペース６１には、チャンバ４３が配設されている。チャンバ４３は、長尺状に形成されており、梁間スペース６１に沿って延びるように設けられている。
【００５４】
図６に示すように、隣り合う上階ユニット２０Ｂにおける対向する床大梁２３の上面にはそれぞれ、当該床大梁２３に沿って延びる床根太６２が設けられている。それら床根太６２の上面にはそれぞれパーティクルボードよりなる床面材２８が設けられている。床面材２８は、床根太６２の上面における一部の領域にのみ載置されており、それ故床根太６２の上面の一部は床面材２８が載置されない非載置領域６２ａとなっている。
【００５５】
隣り合う上階ユニット２０Ｂの各床面材２８の間にはそれら両床面材２８を繋ぐように床繋ぎ材６３が設けられている。床繋ぎ材６３は、床面材２８と同じ厚みを有するパーティクルボードよりなる。床繋ぎ材６３は、両上階ユニット２０Ｂの床根太６２上、詳しくはその非載置領域６２ａ上に跨がって設けられ、それら各床根太６２に対しビス等で固定されている。これにより、各床面材２８と床繋ぎ材６３とによって略面一となる床面が形成されている。
【００５６】
なお、床繋ぎ材６３は、建物１０の施工の際、各上階ユニット２０Ｂがそれぞれ設置された後、両上階ユニット２０Ｂの床面材２８間に組み付けられるものとなっている。また、図６中の符号６５は、床大梁２３と床小梁２６とを連結するためのブラケットである。
【００５７】
隣り合う下階ユニット２０Ａにおける対向する天井大梁２２の下面にはそれぞれ、当該天井大梁２２に沿って野縁６６が取り付けられている。それら野縁６６の下面にはそれぞれ石膏ボードよりなる天井面材２７が取り付けられ、それら天井面材２７の間には両天井面材２７を繋ぐように天井繋ぎ材６７が取り付けられている。天井繋ぎ材６７は、天井面材２７と同じ厚みを有する石膏ボードよりなり、両下階ユニット２０Ａの野縁６６に対しビス等で固定されている。これにより、各天井面材２７と天井繋ぎ材６７とによって略面一となる天井面が形成されている。
【００５８】
なお、天井繋ぎ材６７は、建物１０の施工の際、各下階ユニット２０Ａがそれぞれ設置された後、両下階ユニット２０Ａの天井面材２７間に組み付けられるものとなっている。また、図６中の符号６８は、天井大梁２２と天井小梁２５とを連結するためのブラケットである。
【００５９】
隣り合う下階ユニット２０Ａにおいて互いに対向する天井大梁２２上には、チャンバ４３を支持する支持部材７１が架け渡されて設けられている。支持部材７１は、比較的高強度の鋼板により平板状に形成されており、天井大梁２２の長手方向（チャンバ４３の設置方向）に沿って所定間隔で複数配置されている。支持部材７１は、その厚みが、上下に対向配置される下階ユニット２０Ａの天井大梁２２と上階ユニット２０Ｂの床大梁２３との間の隙間７５の（上下）幅と同じか又はそれよりも小さくされている。支持部材７１は、その架け渡し方向（換言すると天井大梁２２同士が対向する対向方向）の両端側をそれぞれ上記隙間７５に差し入れた状態で各天井大梁２２の上面に載置されており、その載置状態で天井大梁２２に接着用テープ等で固定されている。なお、支持部材７１において上記隙間７５に差し入れられて天井大梁２２上に載置された部分が載置部に相当する。
【００６０】
なお、支持部材７１の固定構成は必ずしもこれに限ることなく、ボルト等の締結具を用いて天井大梁２２に固定する等、その固定構成は任意である。また、支持部材７１を、天井大梁２２に対して固定せず天井大梁２２上に載置するだけであってもよい。また、支持部材７１は必ずしも複数配置する必要はなく、１つだけ配置してもよい。
【００６１】
支持部材７１上には、チャンバ４３が載置された状態で設置されている。チャンバ４３は、複数の支持部材７１上に跨がって設置されている。この場合、チャンバ４３の荷重は支持部材７１を介して両天井大梁２２ひいては両下階ユニット２０Ａにより支えられる。このため、重量物となることが想定されるチャンバ４３を梁間スペース６１において安定した状態で設置することができる。
【００６２】
チャンバ４３のかかる設置状態では、チャンバ４３（詳しくは上板部４３ａ）の上面部が床繋ぎ材６３の下面と当接又は近接する位置にある。また、チャンバ４３は、その横幅（短手方向の横幅）が当該チャンバ４３を挟んで対向する両床大梁２３の間隔と略同じか又はそれよりも小さくされている。
【００６３】
床繋ぎ材６３には、チャンバ４３の吹出口５９に対応する位置に開口部７２が形成されている。この開口部７２と吹出口５９とを介してチャンバ内空間４７が部屋３３と連通されている。開口部７２には、吹出グリル７３が設けられている。吹出グリル７３は、横並びとされた複数のスラット７３ａを有しており、それら各スラット７３ａ間を通じてチャンバ内空間４７の暖気が部屋３３に吹き出されるようになっている。
【００６４】
次に、太陽熱集熱装置４０の電気的構成について図７に基づいて説明する。なお、図７は太陽熱集熱装置４０の電気的構成を示すブロック図である。
【００６５】
図７に示すように、建物１０には、制御手段としてのコントローラ６０が設けられている。コントローラ６０は、ＣＰＵ等を有する周知のマイクロコンピュータを備えて構成されている。コントローラ６０には、部屋温検知センサ３６及び蓄熱量検知センサ３７が接続されており、これら各センサ３６，３７から逐次検知結果が入力される。
【００６６】
コントローラ６０には、循環ポンプ４５，ファン装置５４及びスラット駆動部５８が接続されている。コントローラ６０は、部屋温検知センサ３６及び蓄熱量検知センサ３７からの検知結果に基づいて、これら各装置４５，５４，５８の動作を制御する。
【００６７】
次に、コントローラ６０によって実行される暖房制御処理について図８に基づいて説明する。なお、図８は暖房制御処理を示すフローチャートである。また、本処理は所定の周期で繰り返し実行される。
【００６８】
図８に示すように、まずステップＳ１１では現在の時刻が所定の蓄熱時間帯であるか否かを判定する。ここで、所定の蓄熱時間帯は集熱パネル４１に対して太陽光が照射される時間帯、すなわち蓄熱材４２への蓄熱が可能な時間帯に設定されている。本実施形態では、蓄熱時間帯が例えば１０：００〜１６：００に設定されている。現在の時刻が所定の蓄熱時間帯である場合にはステップＳ１７に進む。
【００６９】
ステップＳ１７では、蓄熱処理を実行する。本処理では、循環ポンプ４５を駆動させることで、熱媒体を集熱パネル４１と蓄熱材４２との間で循環させる。これにより、集熱パネル４１で集熱された熱が熱媒体を介して蓄熱材４２へと供給され同蓄熱材４２に蓄えられる。
【００７０】
ステップＳ１８では、暖房処理を停止させる。本処理では、ファン装置５４の作動を停止させるとともに、スラット駆動部５８を駆動させて各可動スラット５７（シャッタ５６）を閉状態とする。これにより、吹出口５９からの暖気の吹き出しが停止され、部屋３３の暖房が停止される。つまり、本制御処理においては、蓄熱材４２への蓄熱が行われている間は部屋３３の暖房が行われないようになっている。その後、本処理を終了する。
【００７１】
一方、ステップＳ１１において現在の時刻が所定の蓄熱時間帯でない場合には、ステップＳ１２に進む。ステップＳ１２では、現在の時刻が所定の夜間時間帯であるか否かを判定する。本実施形態では、所定の夜間時間帯において、蓄熱材４２に蓄えられた熱を用いて部屋３３の暖房を行うこととしている。ここで、所定の夜間時間帯は、例えば１９：００〜２３：００に設定されている。現在の時刻が所定の夜間時間帯でない場合には本処理を終了する。一方、現在の時刻が所定の夜間時間帯である場合にはステップＳ１３に進む。
【００７２】
ステップＳ１３では、部屋温検知センサ３６からの検知結果に基づいて、部屋３３の温度が所定温度以下であるか否かを判定する。ここで、所定温度は、暖房が必要な程度の肌寒さを感じる温度に設定されており、例えば１５℃に設定されている。部屋３３の温度が所定温度よりも高い場合、すなわち部屋３３の暖房が不要である場合には本処理を終了する。一方、部屋３３の温度が所定温度以下である場合、すなわち部屋３３の暖房が必要である場合には、ステップＳ１４に進む。
【００７３】
ステップＳ１４では、蓄熱量検知センサ３７からの検知結果に基づいて、蓄熱材４２に蓄えられた熱量が所定量以上であるか否かを判定する。ここで、所定量は、部屋３３を暖房するために必要な最低限の熱量に設定されている。蓄熱材４２に蓄えられた熱量が所定量よりも少ない場合には本処理を終了する。一方、蓄熱材４２に蓄えられた熱量が所定量以上である場合にはステップＳ１５に進む。
【００７４】
ステップＳ１５では、暖房処理を実行する。本処理では、スラット駆動部５８を駆動させることで各可動スラット５７（シャッタ５６）を開状態とするとともに、ファン装置５４を作動させる。これにより、吹出口５９から部屋３３に暖気が吹き出され、部屋３３の暖房が行われる。
【００７５】
ステップＳ１６では、蓄熱処理を停止する。本処理では、循環ポンプ４５の駆動を停止させることで、集熱パネル４１と蓄熱材４２との間での熱媒体の循環を停止させる。これにより、夜間において冷やされた集熱パネル４１の冷熱が蓄熱材４２へ供給され同蓄熱材４２が冷やされてしまう事態を回避することができる。その後、本処理を終了する。
【００７６】
次に、建物１０に対する上記太陽熱集熱装置４０の設置例について実際の建物１０内の間取りとの関係で説明する。図９（ａ）及び（ｂ）はいずれも建物１０の二階部分１５の間取りを示す間取り図である。
【００７７】
図９（ａ）に示す例では、建物１０の二階部分１５に設けられたトイレＳ１が太陽熱集熱装置４０による暖房対象としての部屋３３に設定されている。トイレＳ１は、隣り合う上階ユニット２０Ｂの境界部を含むように形成されている。チャンバ４３は、それら上階ユニット２０Ｂの床大梁２３間の梁間スペース６１に配設され、その吹出口５９がトイレＳ１の床面において開口されている。この場合、蓄熱材４２に蓄えられた熱が吹出口５９より暖気としてトイレＳ１に吹き出され、トイレＳ１の暖房が行われるようになっている。
【００７８】
また、トイレＳ１には、物品を収納する収納部８１が設けられ、さらにその収納部８１に隣接してパイプカバー８２が設けられている。パイプカバー８２は、壁際に沿って上下に延びるように設けられ、その内側には熱媒配管４４（の一部）が配設されている。この場合、熱媒配管４４が露出してトイレＳ１の美観が損なわれることが防止されている。
【００７９】
熱媒配管４４は、パイプカバー８２の内側から下方に導出されて上階ユニット２０Ｂの床下空間（換言すると上階ユニット２０Ｂと下階ユニット２０Ａとの間の階間空間）に入り込んでいる。熱媒配管４４は、上階ユニット２０Ｂの床下空間から梁間スペース６１へ延びて、チャンバ４３内の蓄熱材４２に連結されている。なお図示は省略するが、上階ユニット２０Ｂの床大梁２３のウェブには、熱媒配管４４を通すための挿通孔が形成され、その挿通孔を通じて熱媒配管４４が上階ユニット２０Ｂの床下空間から梁間スペース６１へ導かれている。
【００８０】
一方、図９（ｂ）に示す例では、二階部分１５の脱衣所Ｓ２が太陽熱集熱装置４０による暖房対象としての部屋３３に設定されている。脱衣所Ｓ２は、隣り合う上階ユニット２０Ｂの境界部を含むように形成されている。チャンバ４３は、それら上階ユニット２０Ｂの床大梁２３間の梁間スペース６１に配設され、その吹出口５９が脱衣所Ｓ２の床面において開口されている。この場合、蓄熱材４２に蓄えられた熱が吹出口５９より暖気として脱衣所Ｓ２に吹き出され、脱衣所Ｓ２の暖房が行われるようになっている。
【００８１】
また、二階部分１５には、脱衣所Ｓ２に隣接して収納部８４が設けられている。チャンバ４３は、梁間スペース６１において収納部８４と脱衣所Ｓ２とに跨がるように配設されており、チャンバ４３内の蓄熱材４２は収納部８４の下方に配置されている。収納部８４の内部には、壁際に沿ってパイプカバー８５が上下に延びるように設けられ、その内側には熱媒配管４４（の一部）が配設されている。熱媒配管４４は、パイプカバー８５の内側から下方に導出されて上階ユニット２０Ｂの床下に入り込み、そこからさらに梁間スペース６１へと延びてチャンバ４３内の蓄熱材４２に連結されている。
【００８２】
続いて、建物１０の施工手順について、太陽熱集熱装置４０の設置作業を中心に簡単に説明する。
【００８３】
施工に際しては、まず一階部分１４を構成する各下階ユニット２０Ａをそれぞれ基礎１１上に設置する。それから、隣り合う下階ユニット２０Ａにおける対向する天井大梁２２上に支持部材７１を架け渡し、その支持部材７１をそれら各天井大梁２２に接着用テープ等で固定する。
【００８４】
次に、二階部分１５を構成する各上階ユニット２０Ｂをそれぞれ下階ユニット２０Ａ上に設置する。その後、隣り合う上階ユニット２０Ｂにおいて互いに対向する床大梁２３間の梁間スペース６１にチャンバ４３を配置し支持部材７１上に載置する。これにより、チャンバ４３が梁間スペース６１に設置される。その後、チャンバ４３内の蓄熱材４２に熱媒配管４４を連結する等の作業を行う。
【００８５】
次に、隣り合う上階ユニット２０Ｂの床面材２８間に床繋ぎ材６３を取り付ける。
【００８６】
その後、建物本体１２上に屋根１３を設置し、その屋根１３上に集熱パネル４１を設置する。その後、集熱パネル４１に熱媒配管４４を接続する等の作業を行う。
【００８７】
以上、詳述した本実施形態の構成によれば、以下の優れた効果が得られる。
【００８８】
チャンバ４３を、隣り合う上階ユニット２０Ｂにおいて互いに対向する床大梁２３間の梁間スペース６１に配設したため、建物１０内の美観を損なうことなくチャンバ４３を設置することができる。また、この場合、チャンバ４３が、建物ユニット２０の床下空間（詳しくは建物ユニット２０の床大梁２３に囲まれた内側空間）や天井裏空間（詳しくは建物ユニットの天井大梁２２に囲まれた内側空間）とは異なる場所に設置されるため、チャンバ４３の設置により、建物ユニット２０の床下空間や天井裏空間における他の用途での利用（例えば、配管や配線の配設スペースとしての利用）が妨げられることがない。よって、この場合、建物１０内の美観を損なうことなく、チャンバ４３を好適に設置することが可能となる。
【００８９】
ファン装置５４によりチャンバ４３内から吹出口５９へ向けた空気の流れを生じさせることで、蓄熱材４２に蓄えた熱を蓄熱材４２から放出させるとともに、その放出させた熱を吹出口５９より暖気として部屋３３に吹き出させるようにした。この場合、蓄熱材４２からの放熱を促進させることができるとともに、その放出された熱を暖気として部屋３３に供給することができる。そのため、例えばチャンバ４３内の熱をチャンバ４３表面から放出（放射）させて部屋３３の暖房を行う構成と比べ、部屋３３の暖房効果を高めることができる。
【００９０】
吹出口５９をチャンバ４３の上板部４３ａに形成し、チャンバ４３内の暖気をその吹出口５９よりチャンバ４３の真上の部屋３３に吹き出すようにした。この場合、チャンバ４３内の暖気を通気ダクトを介して吹出口５９へと搬送する構成と比べ、通気ダクトが不要となる分構成の簡素化を図ることができる。また、狭小空間である梁間スペース６１に通気ダクトを取り回すことは実際上困難であると考えられるため、かかる構成は、チャンバ４３内の暖気を部屋３３に吹き出し暖房を行うにあたり実用上好ましい構成といえる。
【００９１】
チャンバ４３の内部空間を、蓄熱空間部５１と吹出空間部５２とに仕切る仕切材４９に、それら両空間部５１，５２を連通する開口部５３を形成した。そして、この開口部５３に、それら両空間部５１，５２間における空気の流通を遮断する閉状態と、かかる空気の流通を許可する開状態とに開閉動作可能なシャッタ５６を設けた。この場合、シャッタ５６を閉状態とすることで、蓄熱材４２から自然放熱される熱が蓄熱空間部５１から吹出空間部５２へと流出するのを防止でき、ひいては吹出口５９から部屋３３へと流出するのを防止できる。したがって、蓄熱材４２への蓄熱時にはシャッタ５６を閉状態としておくことで、蓄熱材４２に蓄えられた熱が無駄に消費されてしまうのを抑制でき、太陽熱の有効利用を図ることができる。
【００９２】
また、吹出口５９に当該吹出口５９を開閉する開閉部材（例えばシャッタ）を設け、その開閉部材により吹出口５９を閉鎖することによっても吹出口５９から部屋３３への熱の流出を防止することは可能である。ただ、本実施形態では、チャンバ４３において蓄熱材４２が設置されている箇所と吹出口５９が形成されている箇所とが互いに離間している関係上、チャンバ４３が長尺状に形成されており、それ故チャンバ４３の表面積が比較的大きくなっている。そのため、蓄熱材４２から自然放熱された熱がチャンバ４３表面から外部に放散し易くなっている。この点、開口部５３にシャッタ５６を設けた上述の構成によれば、シャッタ５６を閉状態としておくことで、蓄熱材４２から自然放熱された熱を蓄熱空間部５１に閉じ込めてことができるため、チャンバ４３が長尺状に形成されている場合でも、チャンバ４３表面から熱が無駄に放散されてしまうのを抑制することができる。そのため、効率のよい蓄熱が可能となる。
【００９３】
開口部５３にファン装置５４を設け、そのファン装置５４により開口部５３を通じた蓄熱空間部５１から吹出空間部５２への空気の流れ、ひいては吹出口５９へ向けた空気の流れを生じさせるようにした。この場合、例えば吹出口５９にファン装置５４を設ける場合と比べ、蓄熱材４２からの放熱を促進させることができ、部屋３３の暖房効果を高めることができる。
【００９４】
上下に対向する下階ユニット２０Ａの天井大梁２２と上階ユニット２０Ｂの床大梁２３との間には所定の隙間７５が形成されている。そこで本実施形態では、平板状の支持部材７１を、かかる隙間７５に差し入れた状態で隣り合う下階ユニット２０Ａにおける対向する各天井大梁２２上に架け渡し、その架け渡した支持部材７１上にチャンバ４３を設置するようにした。これにより、階間部分１６の梁間スペース６１においてチャンバ４３を好適に支持させることが可能となる。
【００９５】
また、建物１０の施工に際しては、隣り合う下階ユニット２０Ａにおける対向する各天井大梁２２上に支持部材７１を架け渡し、それからその支持部材７１上にチャンバ４３を載置するだけでチャンバ４３を梁間スペース６１に設置できるため、チャンバ４３の設置作業を容易とすることができる。
【００９６】
建物１０の階間部分１６において、チャンバ４３を、隣り合う下階ユニット２０Ａにおける対向する天井大梁２２間の梁間スペースではなく、隣り合う上階ユニット２０Ｂにおける対向する床大梁２３間の梁間スペース６１に配設した。階間部分１６の梁間スペースは、配管や配線の配設スペースとして利用されることがあるが、その場合配管や配線は一階部分１４の天井繋ぎ材６７上に載置された状態で配設されると考えられる。この点、チャンバ４３を床大梁２３間の梁間スペース６１に設置するようにしたことで、チャンバ４３が配管や配線と干渉するのを抑制しつつ、チャンバ４３を階間部分１６の梁間スペースに好適に設置することができる。
【００９７】
トイレＳ１や脱衣所Ｓ２を暖房対象として暖房を行った。トイレＳ１や脱衣所Ｓ２は、リビング等の居室空間と比べて狭くその気積（室内容積）が小さい。そのため、蓄熱材４２に蓄えられた熱を用いて部屋の暖房を行う本実施形態の構成にあっても、十分な暖房効果を得ることが期待できる。また、トイレＳ１や脱衣所Ｓ２はその出入りに際しヒートショックが生じ易い空間であるが、これらの部屋Ｓ１，Ｓ２を暖房対象とすることでかかるヒートショックを生じにくくする効果も期待できる。
【００９８】
部屋温検知センサ３６により検知された部屋３３の温度が所定温度以下である場合に、部屋３３への暖房処理を行うようにした。これにより、部屋３３の温度が低下した場合には自動的に部屋３３の暖房が開始されるため、利便性の向上を図ることができる。
【００９９】
蓄熱量検知センサ３７により検知された蓄熱材４２における蓄熱量が所定量以上である場合に、部屋３３への暖房処理を行うようにした。これにより、蓄熱材４２に熱が十分に蓄えられていないにもかかわらず部屋３３への暖房処理が行われることで、吹出口５９より部屋３３に冷気が吹き出されかえって部屋３３の温度が低下してしまうといった不都合が生じるのを回避することができる。
【０１００】
本発明は上記実施形態に限らず、例えば次のように実施されてもよい。
【０１０１】
（１）上記実施形態では、建物１０の階間部分１６において、隣り合う上階ユニット２０Ｂにおける互いに対向する床大梁２３間の梁間スペース６１にチャンバ４３を配設したが、これを変更して、隣り合う下階ユニット２０Ａにおける互いに対向する天井大梁２２間の梁間スペースにチャンバ４３を配設してもよい。この場合、チャンバ４３の上面部に支持部材７１を溶接等により固定し、その支持部材７１を隣り合う下階ユニット２０Ａにおいて互いに対向する天井大梁２２上に架け渡して設けることで、チャンバ４３を各天井大梁２２に支持部材７１を介して吊り下げ支持することが考えられる。また、かかるチャンバ４３の配設構成では、吹出口をチャンバ４３の下板部に形成し、その吹出口より一階部分１４の部屋３１に暖気を吹き出すことで当該部屋３１の暖房を行うことが考えられる。
【０１０２】
また、チャンバ４３を、隣り合う上階ユニット２０Ｂにおける対向する床大梁２３間の梁間スペース６１と、隣り合う下階ユニット２０Ａにおける対向する天井大梁２２間の梁間スペースとに跨がるように配設してもよい。この場合、例えばチャンバ４３の上下高さを一階部分１４の天井繋ぎ材６７と二階部分１５の床繋ぎ材６３との間隔と同じに設定し、そのチャンバ４３の上板部４３ａ及び下板部にそれぞれ吹出口を形成することが考えられる。そうすれば、チャンバ４３内の暖気を各吹出口よりそれぞれ二階部分１５の部屋３３と一階部分１４の部屋３１とに吹き出すことができるため、それら各部屋３１，３３の暖房を行うことが可能となる。
【０１０３】
また、チャンバ４３は、必ずしも建物１０の階間部分における梁間スペースに配設する必要はなく、建物１０の床下部分や天井裏部分における梁間スペースに配設するようにしてもよい。つまり、チャンバ４３を、隣り合う下階ユニット２０Ａにおいて互いに対向する床大梁２３間の梁間スペースや、隣り合う上階ユニット２０Ｂにおいて互いに対向する天井大梁２２間の梁間スペースに配設するようにしてもよい。
【０１０４】
（２）吹出口５９は必ずしもチャンバ４３に形成する必要はない。例えば、吹出口を天井繋ぎ材６７に形成することが考えられる。この場合、吹出口とチャンバ４３とを通気ダクトを介して接続し、その通気ダクトを通じてチャンバ４３内の暖気を吹出口へと供給し同吹出口より一階部分１４の部屋３１に吹き出すことが考えられる。
【０１０５】
また、一階部分１４の部屋３２の天井面材２７や二階部分１５の部屋３４の床面材２８に吹出口を形成し、その吹出口とチャンバ４３とを通気ダクトを介して接続してもよい。そうすれば、チャンバ４３の真上（直上）又は真下（直下）に位置しないそれらの部屋３２，３４にもチャンバ４３内の暖気を供給することができる。
【０１０６】
（３）梁間スペース６１におけるチャンバ４３の支持構成は必ずしも上記実施形態の構成に限定されない。例えば、チャンバ４３（詳しくは上板部４３ａ）の上面に床繋ぎ材６３を固定してチャンバ４３を床繋ぎ材６３と一体化させ、その一体化させた状態で床繋ぎ材６３を隣り合う上階ユニット２０Ｂにおける対向する各床大梁２３上（詳しくは床根太６２上）に架け渡すことが考えられる。この場合、チャンバ４３を、床繋ぎ材６３を介してそれら各床大梁２３に吊り下げ支持することができるため、かかる場合にもチャンバ４３を安定した状態で設置することができる。
【０１０７】
また、予めユニット製造工場でチャンバ４３を床繋ぎ材６３と一体化しておけば、施工現場では床繋ぎ材６３を隣り合う上階ユニット２０Ｂの各床大梁２３上に取り付けるだけでチャンバ４３の設置が完了する。この場合、施工工数の削減を図ることができる。
【０１０８】
（４）上記実施形態では、建物１０内のトイレＳ１又は脱衣所Ｓ２にチャンバ４３内の暖気を吹き出し暖房を行ったが、例えば浴室に暖気を吹き出し暖房を行ってもよい。浴室もトイレＳ１や脱衣所Ｓ２と同様、気積が小さいため、蓄熱材４２に蓄えられた熱を用いて暖房を行う本太陽熱集熱装置４０によっても、十分な暖房効果を得ることが可能である。また、トイレＳ１や脱衣所Ｓ２等の非居室空間に限らず、リビングや寝室等の居室空間に暖気を吹き出し暖房を行ってもよい。
【０１０９】
（５）上記実施形態では、蓄熱材４２に蓄えられた熱をチャンバ４３内から暖気として吹き出すことで部屋３３の暖房を行ったが、これを変更してもよい。例えば、蓄熱材４２に蓄えられた熱をチャンバ４３表面から部屋３３に向けて放熱（熱放射）させることで部屋３３の暖房を行ってもよい。具体的には、ファン装置５４を作動させることによりチャンバ４３内に空気の流れを生じさせることで蓄熱材４２に蓄えられた熱を同蓄熱材４２から放出させ、その放出させた熱をチャンバ４３表面から部屋３３に放出させ暖房を行う。この場合にも、太陽光が照射されない夜間等の時間帯において、太陽熱を用いた部屋３３の暖房を行うことが可能となる。
【０１１０】
なお、かかる構成ではチャンバ４３に吹出口５９を設けずチャンバ内空間を閉空間とする。また、チャンバ４３は、金属等の放熱性能に優れた材料により形成するのがよい。
【符号の説明】
【０１１１】
１０…建物、１４…一階部分、１５…二階部分、１６…階間部分、２０…建物ユニット、２０Ａ…下階ユニット、２０Ｂ…上階ユニット、２２…大梁としての天井大梁、２３…大梁としての床大梁、３３…部屋、３６…部屋温検知手段としての部屋温検知センサ、４０…太陽熱集熱装置、４１…集熱部としての集熱パネル、４２…蓄熱材、４３…チャンバ、４７…チャンバ内空間、４９…仕切材、５１…蓄熱空間部、５２…吹出空間部、５３…連通部としての開口部、５４…ファン装置、５６…開閉部材としてのシャッタ、５９…吹出口、６０…制御手段としてのコントローラ、６３…床繋ぎ材、７１…支持部材、Ｓ１…部屋としてのトイレ、Ｓ２…部屋としての脱衣所。
【図１】
2014141790.tif 000003
【図２】
2014141790.tif 000004
【図３】
2014141790.tif 000005
【図４】
2014141790.tif 000006
【図５】
2014141790.tif 000007
【図６】
2014141790.tif 000008
【図７】
2014141790.tif 000009
【図８】
2014141790.tif 000010
【図９】
2014141790.tif 000011